(57)【要約】【課題】刃に沿って安全装置を設けることにより、指先を刃から守ると共に、貼り付け作業も片手で簡単に行えるマグネットテープ用ケースを提供する。【解決手段】  開口部と該開口部の内側に設けられる固定部材を有するケース本体と、前記ケース本体の内部に設けられる主軸と、前記固定部材に固定されると共に、刃を挟持する挟持部を有するカッター保護カバーと、を備え、前記カッター保護カバーは、前記挟持部の前端から前記固定部材の外側を回して延出する外環部と、該外環部に設けられると共に、前記刃の側面に沿って設けられる安全端部が形成されることを特徴とする。【選択図】  図２
0003126418.tif 000002
【実用新案登録請求の範囲】
【請求項１】
外周壁に開口部が形成されると共に、該開口部の内側に固定部材が設けられるケース本体と、該ケース本体の内部に設けられる主軸と、該ケース本体の開口部に設けられるカッター保護カバーと、刃と、を備え、
前記主軸にマグネットテープロールが軸着されると共に、該主軸から開口部までは所定の距離を有し、
前記カッター保護カバーはプラスチックにより成形されると共に、嵌合部及び外環部を有し、
前記嵌合部は、夫々前記刃を上下方向から挟持する２つの挟持部からなり、該２つの挟持部の前端が開放状を呈し、該２つの挟持部の後端が互いに結合されると共に、前記固定部材に固定されることにより、固定部材にカッター保護カバーが設けられ、
前記刃は、前記開口部からケース本体の外側に突出し、
前記外環部は、前記下方に設けられる挟持部の前端から前記固定部材の外側を回し、前記上方に設けられる挟持部の前端から延出されるものであり、前記外環部に刃の上面に沿って設けられる安全端部が形成され、該外環部の下側と前記開口部との間にマグネットテープが通過可能な隙間が形成されると共に、該外環部の内周壁と該固定部材の外側との間に所定の間隔が形成されることを特徴とするマグネットテープ用ケース。
【請求項２】
前記カッター保護カバーの外環部の下側に、さらに押圧部が設けられ、該押圧部は前記ケース本体の外周壁から突出することを特徴とする請求項１に記載のマグネットテープ用ケース。
【請求項３】
前記開口部と主軸との間に補助軸が設けられ、該補助軸に制動管が嵌め込まれると共に、前記ケース本体における、制動管と対応する位置に貫通孔が形成されることを特徴とする請求項１又は２に記載のマグネットテープ用ケース。
【考案の詳細な説明】
【技術分野】
【０００１】
本考案は、特に刃に沿って安全装置を設けることにより、指先を刃から守ると共に、貼り付け作業も片手で簡単に行えるマグネットテープ用ケースに関するものである。
【背景技術】
【０００２】
一般にマグネットテープは、接着剤を有する接着面と、磁性を持つマグネット面と、を有し、使用時は、接着面をポスターや公告、メモ用紙などの裏に貼り付けて、マグネット面を白板や内部にスチールを有する掲示板などに取り付けることにより、ポスターや公告、メモ用紙などを所望の場所に位置させる。
【０００３】
前記マグネットテープの使用利便性を高めるために、通常はマグネットテープをケースに入れて用いている。また、従来のマグネットテープ用ケースは、刃を有し、ロール状のマグネットテープを前記ケースに設置して使用する時に、使用者が所定の長さのマグネットテープを該ケースから引き出して、該刃でマグネットテープを切断して使用する。
【考案の開示】
【考案が解決しようとする課題】
【０００４】
しかしながら、従来のケースには以下に示すような問題点がある。 
１． 従来のマグネットテープケースの刃の部分に如何なる安全装置も設けられていないので、使用者の指先を傷つけてしまう恐れがある。 
２． 従来のマグネットテープケースは、マグネットテープを切断する時、一方の手でケースを固定してから、他方の手でマグネットテープを引いて切断しなければならないので、非常に不便である。
【０００５】
そこで、案出されたのが本考案であって、使用者の指先を傷つけないようカッターに安全装置が設けられていると共に、使用時に片手で簡単に作業を行うことができるマグネットテープ用ケースを提供することを目的としている。
【課題を解決するための手段】
【０００６】
本願の請求項１の考案は、外周壁に開口部が形成されると共に、該開口部の内側に固定部材が設けられるケース本体と、該ケース本体の内部に設けられる主軸と、該ケース本体の開口部に設けられるカッター保護カバーと、刃と、を備え、  
前記主軸にマグネットテープロールが軸着されると共に、該主軸から開口部までは所定の距離を有し、  
前記カッター保護カバーはプラスチックにより成形されると共に、嵌合部及び外環部を有し、  
前記嵌合部は、夫々前記刃を上下方向から挟持する２つの挟持部からなり、該２つの挟持部の前端が開放状を呈し、該２つの挟持部の後端が互いに結合されると共に、前記固定部材に固定されることにより、固定部材にカッター保護カバーが設けられ、  
前記刃は、前記開口部からケース本体の外側に突出し、  
前記外環部は、前記下方に設けられる挟持部の前端から前記固定部材の外側を回し、前記上方に設けられる挟持部の前端から延出されるものであり、前記外環部に刃の上面に沿って設けられる安全端部が形成され、該外環部の下側と前記開口部との間にマグネットテープが通過可能な隙間が形成されると共に、該外環部の内周壁と該固定部材の外側との間に所定の間隔が形成されることを特徴とするマグネットテープ用ケース、を提供する。
【０００７】
本願の請求項２の考案は、前記カッター保護カバーの外環部の下側に、さらに押圧部が設けられ、該押圧部は前記ケース本体の外周壁から突出することを特徴とする請求項１に記載のマグネットテープ用ケース、を提供する。
【０００８】
本願の請求項３の考案は、前記開口部と主軸との間に補助軸が設けられ、該補助軸に制動管が嵌め込まれると共に、前記ケース本体における、制動管と対応する位置に貫通孔が形成されることを特徴とする請求項１又は２に記載のマグネットテープ用ケース、を提供する。
【考案の効果】
【０００９】
本考案は上記の課題を解決するものであり、前記カッター保護カバーの外環部における安全端部を刃の上面に沿って設けられる設計であるので、使用者の指先が直接に刃と接触することを防止することができる。  
更に、本考案のケースを用いてマグネットテープを所定の箇所に貼り付けた後、前記安全端部を支点としてケースを、貼り付けたマグネットテープに対して傾けながら力を与え、前記カッター保護カバーの外環部における安全端部をケース本体の内部に後退させて、該刃を露出させることによりマグネットテープを切断する。このように、本考案によれば、テープの貼り付けから切断までの作業を片手で行うことができるので、使用上の利便性が非常に高い。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るマグネットテープ用ケースの斜視図であり、図２は本考案に係るマグネットテープ用ケースの分解斜視図であり、図３は本考案に係るマグネットテープ用ケースにおける係着プレートと係着穴との使用状態を示す一部断面図であり、図４は本考案に係るマグネットテープ用ケースにおける掛止部材の使用状態を示す平面図であり、図５は本考案に係るマグネットテープ用ケースの断面図であり、図６は本考案に係るマグネットテープ用ケースの使用状態を示す一部断面図であり、図７は本考案に係るマグネットテープ用ケースの他の使用状態を示す一部断面図であり、図８は本考案に係るマグネットテープ用ケースにおけるマグネットテープの使用状態を示す斜視図である。
【００１２】
図１及び図２に示すように、本考案のマグネットテープ用ケースは、開口部（１００）と固定部材（１１）を有するケース本体（１）と、該ケース本体（１）の内部に設けられる主軸（１２）と、該開口部（１００）と主軸（１２）との間に設けられる補助軸（１３）と、該ケース本体（１）の開口部（１００）に設けられるカッター保護カバー（５０）と、刃（５１）と、を備え、  
前記ケース本体（１）は、凹部（１０５）及び係着プレート（１０３）を有する第１ケース（１０）と、該凹部（１０５）に対応する凸部（２０５）と、係着プレート（１０３）と対応する係着穴（２０３）及び外周壁に取り付けられる掛止部材（７０）を有する第２ケース（２０）と、からなる。  
また、図３に示すように、前記係着プレート（１０３）はケース本体（１）における第１ケース（１０）に設けられると共に、前記第２ケース（２０）に設けられる係着穴（２０３）に係着されることにより、第１ケース（１０）と第２ケース（２０）とを結合する。  
更に、図４に示すように、該掛止部材（７０）は第１係止部（７１）と、第２係止部（７２）を有し、前記第１ケース（１０）は更に、該掛止部材（７０）を前記ケース本体（１）に設けるための掛止部（１０８）と、掛止溝（１０９）を備え、前記第２ケース（２０）は更に摺動溝（２０７）と、切欠き溝（２０８）と、係止プレート（２０９）を備え、該掛止部材（７０）の第１係止部（７１）と第２係止部（７２）が係止プレート（２０９）の両側に並列される掛止溝（１０９）と摺動溝（２０７）に、摺動可能に挿嵌されると共に、前記掛止部材（７０）が前記掛止部（１０８）と切欠き溝（２０８）側へ摺動し、前記掛止部（１０８）と切欠き溝（２０８）を挟持することにより、第１ケース（１０）と第２ケース（２０）とを固定する。
【００１３】
また、前記開口部（１００）は、ケース本体（１）の外周壁に形成され、該固定部材（１１）はＣ字形を呈し、該開口部（１００）における第１ケース（１０）の内側から第２ケース（２０）側へ延出する。該第２ケース（２０）に該固定部材（１１）に対応する位置決め部材（２１）が設けられる。
【００１４】
更に、図５に示すように、前記主軸（１２）に、ケース本体（１）の内部における第１ケース（１０）の裏から第２ケース（２０）へ延出するように回転自在なカバー管（３０）が嵌め込まれ、該カバー管（３０）が該マグネットテープロール（６０）に貫通することにより、該マグネットテープロール（６０）が軸支され、第２ケース（２０）に、主軸（１２）に対応すると共に、該主軸（１２）を位置決めする位置決めリング（２２）が設けられることにより、該主軸（１２）から前記開口部（１００）にかけて所定の間隔が形成される。  
そして、前記補助軸（１３）に、制動管（４０）が回転自在に嵌め込まれ、前記第２ケース（２０）に制動管（４０）と対応する貫通孔（２３）が形成される。前記マグネットテープロール（６０）から引き出されたマグネットテープ（６１）が制動管（４０）の周縁を通って前記ケース本体（１）の開口部（１００）から出た時、指先で前記貫通孔（２３）から制動管（４０）を押圧すればマグネットテープ（６１）の送出速度を制御することができる。
【００１５】
また、図６及び図７に示すように、前記カッター保護カバー（５０）はプラスチックからなると共に、嵌合部（５００）と、外環部（５０２）を有し、  
前記カッター保護カバー（５０）の嵌合部（５００）は、前記刃（５１）を夫々上下方向から挟持する２つの挟持部（５０１）からなり、該２つの挟持部（５０１）の前端が開放状を呈し、該２つの挟持部（５０１）の後端が互いに結合されると共に、前記固定部材（１１）に固定されることにより、固定部材（１１）にカッター保護カバー（５０）が設けられ、  
前記刃（５１）は、前記開口部（１００）からケース本体（１）の外側に突出し、
前記外環部（５０２）は、前記下方に設けられる挟持部（５０１）の前端から前記固定部材（１１）の外側を回し、前記上方に設けられる挟持部（５０１）の前端から延出されるものである。又、前記外環部（５０２）に、刃（５１）の上面に沿って設けられる安全端部（５３）が形成されることにより、使用者の指先が直に刃と接触することはない。  
又、該外環部（５０２）の下側に、前記ケース本体（１）の外周壁から突出する押圧部（５２）が設けられ、前記開口部（１００）との間にマグネットテープ（６１）が通過可能な隙間が形成され、該押圧部（５２）が該マグネットテープ（６１）を押圧することにより、マグネットテープ（６１）を対象物に完全に貼り付ける。  
更に、該外環部（５０２）の内周壁と該固定部材（１１）の外側との間に所定の間隔が形成されるので、該外環部（５０２）は所要の弾性を具備している。
【００１６】
更に、図６乃至図８に示すように、本考案のケースを用いれば、マグネットテープを紙（Ａ）の裏側に貼り付けた後、前記安全端部（５３）を支点としてケースを、貼り付けたマグネットテープ（６１）に対して傾けながら力を与え、前記カッター保護カバー（５０）の外環部（５０２）における安全端部（５３）をケース本体（１）の内部に移動させ、前記刃（５１）を露出させることにより、マグネットテープ（６１）を切断することができる。このように、テープの貼り付けから切断までの作業を片手で行うことができるので、使用上の利便性が非常に高い。又、裏側に貼られたマグネットテープ（６１）により紙（Ａ）を容易に白板（Ｂ）に取り付けたり、取り外したりことができる。
【産業上の利用可能性】
【００１７】
本考案は上記の構成を有し、使用者の指先が直に刃に接触することを防ぐと共に、本考案のケースを用いれば、片手で簡単に所望の長さにマグネットテープを貼り付けることができるので、使用上の安全性や利便性を大幅に向上させることができる。
【図面の簡単な説明】
【００１８】
【図１】本考案に係るマグネットテープ用ケースの斜視図である。
【図２】本考案に係るマグネットテープ用ケースの分解斜視図である。
【図３】本考案に係るマグネットテープ用ケースにおける係着プレートと係着穴との使用状態を示す一部断面図である。
【図４】本考案に係るマグネットテープ用ケースにおける掛止部材の使用状態を示す平面図である。
【図５】本考案に係るマグネットテープ用ケースの断面図である。
【図６】本考案に係るマグネットテープ用ケースの使用状態を示す一部断面図である。
【図７】本考案に係るマグネットテープ用ケースの他の使用状態を示すもう１つの一部断面図である。
【図８】本考案に係るマグネットテープ用ケースにおけるマグネットテープの使用状態を示す斜視図である。
【符号の説明】
【００１９】
（１）ケース本体 
（１０）第１ケース
（１００）開口部 
（１０３）係着プレート
（１０５）凹部
（１０８）掛止部
（１０９）掛止溝 
（１１）固定部材
（１２）主軸
（１３）補助軸
（２０）第２ケース
（２０３）係着穴
（２０５）凸部
（２０７）摺動溝
（２０８）切欠き溝
（２０９）係止プレート
（２１）位置決め部材
（２２）位置決めリング
（２３）貫通孔
（３０）カバー管
（４０）制動管
（５０）カッター保護カバー
（５００）嵌合部
（５０１）挟持部
（５０２）外環部
（５１）刃
（５２）押圧部
（５３）安全端部
（６０）マグネットテープロール
（６１）マグネットテープ
（７０）掛止部材
（７１）第１係止部
（７２）第２係止部
（Ａ）紙
（Ｂ）白板
【図１】
0003126418.tif 000003
【図２】
0003126418.tif 000004
【図３】
0003126418.tif 000005
【図４】
0003126418.tif 000006
【図５】
0003126418.tif 000007
【図６】
0003126418.tif 000008
【図７】
0003126418.tif 000009
【図８】
0003126418.tif 000010